(57)【要約】  本開示は、ターゲット端末を識別するための方法、装置、システム、ならびに、インターネット分野に属する端末を監視するための方法および装置に関する。ターゲット端末を識別するための方法は、宛先にアクセスする端末のアクセス記録を取得する工程と、宛先にアクセスする端末のプロモーション情報にそれぞれ対応する複数の第１閲覧記録を取得する工程と、アクセス記録および複数の第１閲覧記録に従ってターゲット端末を識別する工程とを含み、ターゲット端末は宛先に対応するプロモーション情報の閲覧後に宛先にアクセスする端末である。販売業者が、ウェブサイトに掲載されたプロモーション情報が顧客に訴求されているかどうか、あるいはプロモーション情報が何人の顧客に訴求されているのかを判定することができないという従来技術における問題が解決され、宛先にアクセスする端末のいずれが、宛先に対応するプロモーション情報の閲覧後に宛先にアクセスする端末であるかを判定するという効果がもたらされ、販売業者は、ウェブサイトに掲載されたプロモーション情報が何人の顧客に訴求されているかを判定することが可能になる。
2016524224.tif 000002
【特許請求の範囲】
【請求項１】
宛先にアクセスする端末のアクセス記録を取得する工程と、
前記宛先にアクセスする前記端末のプロモーション情報にそれぞれ対応する複数の第１閲覧記録を取得する工程と、
前記アクセス記録および前記複数の第１閲覧記録に従ってターゲット端末を識別する工程であって、前記ターゲット端末が前記宛先に対応するプロモーション情報の閲覧後に前記宛先にアクセスする端末である工程とを含むターゲット端末を識別するための方法。
【請求項２】
前記アクセス記録および前記複数の第１閲覧記録に従ってターゲット端末を識別する工程が、
前記宛先に対応する前記プロモーション情報が、第１端末によって閲覧されているかどうかを、前記複数の第1閲覧記録に従って検出する工程と、
前記宛先に対応する前記プロモーション情報が前記第１端末によって閲覧されていることが検出された場合に、前記第１端末の閲覧時間が、前記第１端末が前記宛先にアクセスする際のアクセス時間より前であるかどうかを検出する工程と、
前記閲覧時間が前記アクセス時間より前であることが検出された場合に、前記第１端末を前記ターゲット端末の１つと識別する工程とを含むことを特徴とする請求項１に記載の方法。
【請求項３】
前記宛先に対応する前記プロモーション情報が第１端末によって閲覧されているかどうかを、前記複数の第１閲覧記録に従って検出する工程が、
前記複数の第１閲覧記録の各々が、端末識別子、プロモーション情報の識別子、宛先識別子、および前記プロモーション情報に対応する閲覧時間を含む場合に、前記第１端末の端末識別子と前記宛先の宛先識別子とを含む第１閲覧記録が存在するかどうかを検出する工程と、
前記複数の第１閲覧記録の各々が、端末識別子、プロモーション情報の識別子、および閲覧時間を含む場合に、前記宛先に対応するプロモーション情報ベースを取得し、前記宛先に対応する前記プロモーション情報が前記第１端末によって閲覧されているかどうかを、前記第１閲覧記録および前記プロモーション情報ベースに従って検出する工程とを含むことを特徴とする請求項２に記載の方法。
【請求項４】
前記第１端末の閲覧時間が、前記第１端末が前記宛先にアクセスする際のアクセス時間より前であるかどうかを検出する工程が、
前記第１端末の前記閲覧時間が所定の時間範囲内であるかどうかを、前記アクセス記録に従って検出する工程を含み、前記所定の時間範囲が、前記第１端末が前記宛先にアクセスする際の前記アクセス時間より前の時間間隔であることを特徴とする請求項２に記載の方法。
【請求項５】
宛先にアクセスする端末のアクセス記録を取得する工程が、モニターによって収集された前記アクセス記録を取得する工程を含み、
前記アクセス記録が、前記宛先に設けられた前記モニターによって、前記端末により送信された放送信号に従って収集され、前記放送信号がワイファイ信号および／またはブルートゥース信号を含むことを特徴とする請求項１から４のいずれか１項に記載の方法。
【請求項６】
前記宛先に対応するプロモーション情報ベース内のすべてのプロモーション情報の第２閲覧記録を取得する工程と、
前記すべてのプロモーション情報の前記第２閲覧記録、前記複数の第１閲覧記録、および前記アクセス記録に従って、前記プロモーション情報ベース内の前記すべてのプロモーション情報を分析する工程とをさらに含むことを特徴とする請求項１から４のいずれか１項に記載の方法。
【請求項７】
前記すべてのプロモーション情報の前記第２閲覧記録、前記複数の第１閲覧記録、および前記アクセス記録に従って、前記プロモーション情報ベース内の前記すべてのプロモーション情報を分析する工程が、
前記アクセス記録および前記複数の第１閲覧記録に従って、第１プロモーション情報に対応する前記ターゲット端末の数を計算する工程と、
前記すべてのプロモーション情報の前記第２閲覧記録に従って、前記第１プロモーション情報が閲覧された回数を計算する工程と、
前記算出されたターゲット端末の数および前記閲覧回数に従って、前記第１プロモーション情報の交換率を計算する工程とを含むことを特徴とする請求項６に記載の方法。
【請求項８】
宛先にアクセスする端末の端末識別子を取得する工程と、
前記端末のアクセス時間を記録する工程と、
前記端末識別子および前記端末の前記アクセス時間に従って、前記宛先にアクセスする前記端末のアクセス記録を生成する工程と、
サーバーに前記アクセス記録を送信する工程とを含み、前記アクセス記録が、前記宛先にアクセスする前記端末のプロモーション情報にそれぞれ対応する複数の第１閲覧記録を取得し、前記アクセス記録および前記複数の第１閲覧記録に従ってターゲット端末を識別するように前記サーバーに命令するように構成されており、前記ターゲット端末が、前記宛先に対応するプロモーション情報の閲覧後に前記宛先にアクセスする端末である、ことを特徴とする端末を監視するための方法。
【請求項９】
宛先にアクセスする端末の端末識別子を取得する工程と、
第１端末によって送信された放送信号を受信し、前記放送信号がワイファイ信号および／またはブルートゥース信号を含む工程と、
前記放送信号から前記第１端末の端末識別子を抽出する工程であって、前記端末識別子が前記第１端末のＭＡＣアドレスを含む工程とを含むことを特徴とする請求項８に記載の方法。
【請求項１０】
宛先にアクセスする端末のアクセス記録を取得するように構成された第１取得モジュールと、
前記宛先にアクセスする前記端末のプロモーション情報にそれぞれ対応する複数の第１閲覧記録を取得するように構成された第２取得モジュールと、
前記第１取得モジュールによって取得された前記アクセス記録と前記第２取得モジュールによって取得された前記複数の第１閲覧記録とに従って、ターゲット端末を識別するように構成された端末識別モジュールとを含み、前記ターゲット端末が、前記宛先に対応するプロモーション情報の閲覧後に前記宛先にアクセスする端末である、ことを特徴とするターゲット端末を識別するための装置。
【請求項１１】
前記端末識別モジュールが、
前記宛先に対応する前記プロモーション情報が、第１端末によって閲覧されているかどうかを、前記複数の第１閲覧記録に従って検出するように構成された端末検出部と、
前記端末検出部の検出結果が、前記宛先に対応する前記プロモーション情報が前記第１端末によって閲覧されていることを示す場合に、前記第１端末の閲覧時間が、前記第１端末が前記宛先にアクセスする際のアクセス時間より前であるかどうかを検出するように構成された時間検出部と、
前記時間検出部の検出結果が、前記閲覧時間が前記アクセス時間より前であることを示す場合に、前記第１端末を前記ターゲット端末の１つと識別するように構成された端末識別部とを含むことを特徴とする請求項１０に記載の装置。
【請求項１２】
前記端末検出部が、
前記複数の第１閲覧記録の各々が、端末識別子、プロモーション情報識別子、宛先識別子、および前記プロモーション情報に対応する閲覧時間を含む場合に、前記第１端末の端末識別子と前記宛先の宛先識別子とを含む第１閲覧記録が存在するかどうかを検出するように構成された第１検出サブユニットと、
前記複数の第１閲覧記録の各々が、端末識別子、プロモーション情報の識別子、および閲覧時間を含む場合に、前記宛先に対応するプロモーション情報ベースを取得して、前記宛先に対応する前記プロモーション情報が前記第１端末によって閲覧されているかどうかを、前記第１閲覧記録および前記プロモーション情報ベースに従って検出するように構成された第２検出サブユニットとを含むことを特徴とする請求項１１に記載の装置。
【請求項１３】
前記時間検出部は、前記第１端末の閲覧時間が所定の時間範囲内であるかどうかを、前記アクセス記録に従って検出するように構成されており、前記所定の時間範囲が、前記第１端末が前記宛先にアクセスする際の前記アクセス時間より前の時間間隔であることを特徴とする請求項１１に記載の装置。
【請求項１４】
前記第１取得モジュールが、モニターによって収集された前記アクセス記録を取得するように構成されており、前記アクセス記録が、前記宛先に設けられた前記モニターによって、前記端末により送信された放送信号に従って収集され、前記放送信号が、ワイファイ信号および／またはブルートゥース信号を含むことを特徴とする請求項１０から１３のいずれか１項に記載の装置。
【請求項１５】
前記宛先に対応するプロモーション情報ベース内のすべてのプロモーション情報の第２閲覧記録を取得するように構成された第３取得モジュールと、
前記すべてのプロモーション情報の前記第２閲覧記録、前記複数の第１閲覧記録および前記アクセス記録に従って、前記プロモーション情報ベース内の前記すべてのプロモーション情報を分析するように構成された分析モジュールとをさらに含むことを特徴とする請求項１０から１３のいずれか１項に記載の装置。
【請求項１６】
前記分析モジュールが、
前記アクセス記録および前記複数の第１閲覧記録に従って、第１プロモーション情報に対応する前記ターゲット端末の数を計算するように構成された第１計算部と、
前記すべてのプロモーション情報の前記第２閲覧記録に従って、前記第１プロモーション情報が閲覧された回数を計算するように構成された第２計算部と、
前記第１計算部によって算出された前記ターゲット端末の数と前記第２計算部によって算出された前記閲覧回数に従って、前記第１プロモーション情報の交換率を計算するように構成された第３計算部とを含むことを特徴とする請求項１５に記載の装置。
【請求項１７】
宛先にアクセスする端末の端末識別子を取得するように構成された識別子取得モジュールと、
前記端末のアクセス時間を記録するように構成された時間記録モジュールと、
前記識別子取得モジュールによって取得された前記端末の前記端末識別子と前記時間記録モジュールによって記録された前記端末の前記アクセス時間に従って、前記宛先にアクセスする前記端末のアクセス記録を生成するように構成された記録生成モジュールと、
前記記録生成モジュールによって生成された前記アクセス記録をサーバーに送信するように構成された記録送信モジュールとを含み、
前記アクセス記録が、前記宛先にアクセスする前記端末のプロモーション情報にそれぞれ対応する複数の第１閲覧記録を取得し、前記アクセス記録および前記複数の第１閲覧記録に従って、ターゲット端末を識別するように前記サーバーに命令するように構成されており、前記ターゲット端末が、前記宛先に対応するプロモーション情報の閲覧後に前記宛先にアクセスする端末である、ことを特徴とする端末を監視するための装置。
【請求項１８】
前記識別子取得モジュールが、第１端末によって送信された放送信号を受信するように構成され、前記放送信号がワイファイ信号および／またはブルートゥース信号を含む信号受信部と、
前記信号受信部によって受信された前記放送信号から前記第１端末の端末識別子を抽出するように構成され、前記端末識別子が前記第１端末のＭＡＣアドレスを含む識別子抽出部とを含むことを特徴とする請求項１７に記載の装置。
【請求項１９】
１つ以上の処理装置と、
メモリと、
１つ以上のモジュールとを含むサーバーであって、前記１つ以上のモジュールは、
前記メモリに保存され、前記１つ以上の処理装置によって実行されるように構成され、
宛先にアクセスする端末のアクセス記録を取得し、
前記宛先にアクセスする前記端末のプロモーション情報にそれぞれ対応する複数の第１閲覧記録を取得し、
前記アクセス記録および前記複数の第１閲覧記録に従ってターゲット端末を識別するように構成されており、前記ターゲット端末が、前記宛先に対応するプロモーション情報の閲覧後に前記宛先にアクセスする端末であることを特徴とするサーバー。
【請求項２０】
１つ以上の処理部と、
メモリと、
１つ以上のモジュールとを含むモニターであって、前記１つ以上のモジュールは、
前記メモリに保存され、前記１つ以上の処理装置によって実行されるように構成され、
宛先にアクセスする端末の端末識別子を取得し、
前記端末のアクセス時間を記録し、
前記端末識別子および前記端末の前記アクセス時間に従って前記宛先にアクセスする前記端末のアクセス記録を生成し、
前記アクセス記録をサーバーに送信するように構成されており、前記アクセス記録が、前記宛先にアクセスする前記端末のプロモーション情報に対応する複数の第１閲覧記録を取得し、前記アクセス記録および前記複数の第１閲覧記録に従って、ターゲット端末を識別するようにサーバーに命令するように構成されており、前記ターゲット端末が、前記宛先に対応するプロモーション情報の閲覧後に前記宛先にアクセスする端末であることを特徴とするモニター。
【請求項２１】
ターゲット端末を識別するための装置であって、サーバーおよびモニターを含み、
前記サーバーが有線または無線のネットワークを介して前記モニターに接続され、前記サーバーが請求項１０から１６のいずれか１項に記載のターゲット端末を識別するための装置を含み、
前記モニターが有線または無線のネットワークを介して前記サーバーに接続され、前記モニターが請求項１７または１８に記載の端末を監視するための装置を含むことを特徴とするシステム。
【請求項２２】
請求項１９に記載のサーバーおよび請求項２０に記載のモニターを含むターゲット端末を識別するためのシステム。
【発明の詳細な説明】
【技術分野】
【０００１】
本開示は、概してインターネット分野に関し、より詳細には、ターゲット端末を識別するための方法、装置、システム、ならびに端末を監視するための方法および装置に関する。
【０００２】
（関連出願の相互参照）
本願は、２０１４年４月２５日に中国国家知識産権局に出願された中国特許出願第２０１４１０１７１９０２．１号の優先権および利益を主張するものであり、その内容の全体は参照により本明細書に組み込まれている。
【背景技術】
【０００３】
インターネットの発展により、自社の商品のプロモーション情報をインターネット上に掲載する販売業者が益々増加してきている。すなわち、販売業者がプロモーション情報を発表したい場合、その者はウェブサイト上にプロモーション情報を掲載することができる。
【０００４】
実際の実現態様では、販売業者は、ウェブサイト上にプロモーション情報の掲載を望む場合に、ウェブサーバーにプロモーション情報をアップロードすることができる。ユーザーがウェブサイトを閲覧する時、ウェブサーバーはプロモーション情報をユーザーに送信する。このようにして、ユーザーはプロモーション情報を閲覧した後に、販売業者の店舗で購入することができる。例えば、販売店が記念販売期間中にすべての商品を５０％割引する場合、ウェブサイト上に衣服を５０％割引で販売する旨のプロモーション情報を掲載すると、ユーザーが、ウェブサイトを訪れそのプロモーション情報を閲覧した場合に、販売店に商品を購入しに行く可能性がある。
【０００５】
本開示を実装する工程において、発明者は、以下のような欠点があることがわかった。
【０００６】
販売店の購入客が、ウェブサイト上でプロモーション情報を閲覧するユーザーであったり、店舗を通り抜ける通行人や、昔からの顧客であったりするため、販売業者は、ウェブサイトに掲載されたプロモーション情報が顧客に訴求されているかどうか、あるいはプロモーション情報が何人の顧客に訴求されているのかを判定することができない。
【発明の概要】
【発明が解決しようとする課題】
【０００７】
本開示の実施形態は、販売業者は、ウェブサイトに掲載されたプロモーション情報が顧客に訴求されているかどうか、あるいはプロモーション情報が何人の顧客に訴求されているのかを判定することができないという問題を解決するための、ターゲット端末を識別するための方法、装置、システム、ならびに端末を監視するための方法および装置を提供している。技術的な解決手法は以下の通りである。
【課題を解決するための手段】
【０００８】
本開示の実施形態の第１の態様によれば、宛先にアクセスする端末のアクセス記録を取得する工程と、宛先にアクセスする端末のプロモーション情報にそれぞれ対応する複数の第１閲覧記録を取得する工程と、アクセス記録および複数の第１閲覧記録に従ってターゲット端末を識別する工程であって、ターゲット端末が宛先に対応するプロモーション情報の閲覧後に宛先にアクセスする端末である工程とを含む、ターゲット端末を識別するための方法が提供されている。
【０００９】
また、アクセス記録および複数の第１閲覧記録に従ってターゲット端末を識別する工程は、宛先に対応するプロモーション情報が、第１端末によって閲覧されているかどうかを、複数の第１閲覧記録に従って検出する工程と、宛先に対応するプロモーション情報が第１端末によって閲覧されていることが検出された場合に、第１端末の閲覧時間が、第１端末が宛先にアクセスする際のアクセス時間より前であるかどうかを検出する工程と、閲覧時間がアクセス時間より前であることが検出された場合に、第１端末をターゲット端末の１つと識別する工程とを含む。
【００１０】
また、宛先に対応するプロモーション情報が第１端末によって閲覧されているかどうかを、複数の第１閲覧記録に従って検出する工程は、複数の第１閲覧記録の各々が、端末識別子、プロモーション情報の識別子、宛先識別子、およびプロモーション情報に対応する閲覧時間を含む場合に、第１端末の端末識別子と宛先の宛先識別子からなる第１閲覧記録が存在するかどうかを検出する工程と、宛先に対応するプロモーション情報ベースを取得する工程と、複数の第１閲覧記録の各々が、端末識別子、プロモーション情報の識別子、および閲覧時間を含む場合に、宛先に対応するプロモーション情報が第１端末によって閲覧されているかどうかを、第１閲覧記録およびプロモーション情報ベースに従って検出する工程とを含む。
【００１１】
また、第１端末の閲覧時間が、第１端末が宛先にアクセスする際のアクセス時間より前であるかどうかを検出する工程は、第１端末の閲覧時間が所定の時間範囲内であるかどうかをアクセス記録に従って検出する工程を含み、所定の時間範囲は、第１端末が宛先にアクセスする際のアクセス時間より前である時間間隔である。
【００１２】
また、宛先にアクセスする端末のアクセス記録を取得する工程は、モニターによって収集されたアクセス記録を取得する工程を含み、アクセス記録は、端末によって送信された放送信号に従って、宛先に設けられたモニターにより収集され、放送信号はワイファイ信号および／またはブルートゥース信号を含んでいる。
【００１３】
また、この方法はさらに、宛先に対応するプロモーション情報ベース内のすべてのプロモーション情報の第２閲覧記録を取得する工程と、すべてのプロモーション情報の第２閲覧記録、複数の第１閲覧記録、およびアクセス記録に従って、プロモーション情報ベース内のすべてのプロモーション情報を分析する工程とを含む。
【００１４】
また、すべてのプロモーション情報の第２閲覧記録、複数の第１閲覧記録、およびアクセス記録に従って、プロモーション情報ベース内のすべてのプロモーション情報を分析する工程は、アクセス記録および複数の第１閲覧記録に従って、第１プロモーション情報に対応するターゲット端末の数を計算する工程と、すべてのプロモーション情報の第２閲覧記録に従って、第１プロモーション情報が閲覧された回数を計算する工程と、算出されたターゲット端末の数と閲覧回数に従って、第１プロモーション情報の交換率を計算する工程とを含む。
【００１５】
本開示の実施形態の第２の態様によれば、宛先にアクセスする端末の端末識別子を取得する工程と、端末のアクセス時間を記録する工程と、端末識別子および端末のアクセス時間に従って、宛先にアクセスする端末のアクセス記録を生成する工程と、サーバーにアクセス記録を送信する工程とを含み、アクセス記録は、宛先にアクセスする端末のプロモーション情報にそれぞれ対応する複数の第１閲覧記録を取得し、アクセス記録および複数の第１閲覧記録に従ってターゲット端末を識別するようにサーバーに命令するように構成されおり、ターゲット端末が、宛先に対応するプロモーション情報の閲覧後に宛先にアクセスする端末である、端末を監視するための方法が提供されている。
【００１６】
また、宛先にアクセスする端末の端末識別子を取得する工程は、第１端末によって送信された放送信号を受信し、その放送信号がワイファイ信号および／またはブルートゥース信号を含んでいる工程と、放送信号から第１端末の端末識別子を抽出する工程であって、その端末識別子が第１端末のＭＡＣアドレスを含んでいる工程とを含む。
【００１７】
本開示の実施形態の第３の態様によれば、宛先にアクセスする端末のアクセス記録を取得するように構成された第１取得モジュールと、宛先にアクセスする端末のプロモーション情報にそれぞれ対応する複数の第１閲覧記録を取得するように構成された第２取得モジュールと、第１取得モジュールによって取得されたアクセス記録と第２取得モジュールによって取得された複数の第１閲覧記録とに従ってターゲット端末を識別するように構成された端末識別モジュールとを含み、ターゲット端末が宛先に対応するプロモーション情報の閲覧後に宛先にアクセスする端末である、ターゲット端末を識別するための装置が提供されている。
【００１８】
また、端末識別モジュールは、宛先に対応するプロモーション情報が、第１端末によって閲覧されているかどうかを、複数の第１閲覧記録に従って検出するように構成された端末検出部と、端末検出部の検出結果が、宛先に対応するプロモーション情報が第１端末によって閲覧されていることを示す場合に、第１端末の閲覧時間が、第１端末が宛先にアクセスする際のアクセス時間より前であるかどうかを検出するように構成された時間検出部と、時間検出部の検出結果が、閲覧時間がアクセス時間より前であることを示す場合に、第１端末をターゲット端末の１つと識別するように構成された端末識別部とを含む。
【００１９】
また、端末検出部は、複数の第１閲覧記録の各々が、端末識別子、プロモーション情報識別子、宛先識別子、およびプロモーション情報に対応する閲覧時間を含む場合に、第１端末の端末識別子と宛先の宛先識別子からなる第１閲覧記録が存在するかどうかを検出するように構成された第１検出サブユニットと、複数の第１閲覧記録の各々が、端末識別子、プロモーション情報の識別子、および閲覧時間を含む場合に、宛先に対応するプロモーション情報ベースを取得して、宛先に対応するプロモーション情報が第１端末によって閲覧されているかどうかを、第１閲覧記録およびプロモーション情報ベースに従って検出するように構成された第２検出サブユニットとを含む。
【００２０】
また、時間検出部は、第１端末の閲覧時間が所定の時間範囲内であるかどうかをアクセス記録に従って検出するように構成されており、その場合の所定の時間範囲とは、第１端末が宛先にアクセスする際のアクセス時間より前の時間間隔である。
【００２１】
また、第１取得モジュールは、モニターによって収集されたアクセス記録を取得するように構成されており、アクセス記録は、宛先に設けられたモニターにより、端末より送信された放送信号に従って収集され、放送信号はワイファイ信号および／またはブルートゥース信号を含んでいる。
【００２２】
また、この装置はさらに、宛先に対応するプロモーション情報ベース内のすべてのプロモーション情報の第２閲覧記録を取得するように構成された第３取得モジュールと、すべてのプロモーション情報の第２閲覧記録、複数の第１閲覧記録およびアクセス記録に従って、プロモーション情報ベース内のすべてのプロモーション情報を分析するように構成された分析モジュールとを含む。
【００２３】
また、分析モジュールは、アクセス記録および複数の第１閲覧記録に従って、第１プロモーション情報に対応するターゲット端末の数を計算するように構成された第１計算部と、すべてのプロモーション情報の第２閲覧記録に従って、第１プロモーション情報が閲覧された回数を計算するように構成された第２計算部と、第１計算部によって算出されたターゲット端末の数と第２計算部によって算出された閲覧回数に従って、第１プロモーション情報の交換率を計算するように構成された第３計算部とを含む。
【００２４】
本開示の実施形態の第４の態様によれば、宛先にアクセスする端末の端末識別子を取得するように構成された識別子取得モジュールと、端末のアクセス時間を記録するように構成された時間記録モジュールと、識別子取得モジュールによって取得された端末の端末識別子および時間記録モジュールによって記録された端末のアクセス時間に従って、宛先にアクセスする端末のアクセス記録を生成するように構成された記録生成モジュールと、記録生成モジュールによって生成されたアクセス記録をサーバーに送信するように構成された記録送信モジュールからなり、アクセス記録は、宛先にアクセスする端末のプロモーション情報にそれぞれ対応する複数の第１閲覧記録を取得し、アクセス記録および複数の第１閲覧記録に従ってターゲット端末を識別するようサーバーに命令するように構成されており、ターゲット端末が、宛先に対応するプロモーション情報の閲覧後に宛先にアクセスする端末である端末を監視するための装置が提供されている。
【００２５】
また、識別子取得モジュールは、第１端末によって送信された放送信号を受信するように構成され、その放送信号がワイファイ信号および／またはブルートゥース信号を含む信号受信部と、信号受信部によって受信された放送信号から第１端末の端末識別子を抽出するように構成され、その端末識別子が第１端末のＭＡＣアドレスを含む識別子抽出部とを含む。
【００２６】
本開示の実施形態の第５の態様によれば、１つ以上の処理装置と、メモリと、１つ以上のモジュールとを含むサーバーが提供され、１つ以上のモジュールは、メモリに保存され、１つ以上の処理装置によって実行されるように構成され、そして宛先にアクセスする端末のアクセス記録を取得し、宛先にアクセスする端末のプロモーション情報にそれぞれ対応する複数の第１閲覧記録を取得し、アクセス記録および複数の第１閲覧記録に従ってターゲット端末を識別するように構成されており、ターゲット端末が、宛先に対応するプロモーション情報の閲覧後に宛先にアクセスする端末である。
【００２７】
本開示の実施形態の第６の態様によれば、１つ以上の処理部と、メモリと、１つ以上のモジュールとを含むモニターが提供され、１つ以上のモジュールは、メモリに保存され、１つ以上の処理装置によって実行されるように構成され、そして宛先にアクセスする端末の端末識別子を取得し、端末のアクセス時間を記録し、端末識別子および端末のアクセス時間に従って宛先にアクセスする端末のアクセス記録を生成し、サーバーにアクセス記録を送信するように構成されており、アクセス記録は、宛先にアクセスする端末のプロモーション情報にそれぞれ対応する複数の第１閲覧記録を取得し、アクセス記録および複数の第１閲覧記録に従ってターゲット端末を識別するようにサーバーに命令するように構成されており、ターゲット端末が、宛先に対応するプロモーション情報の閲覧後に宛先にアクセスする端末である。
【００２８】
本開示の実施形態の第７の態様によれば、サーバーが有線または無線のネットワークを介してモニターに接続され、サーバーが、本開示の実施形態の第３の態様または第３の態様の可能な実現態様に従って、ターゲット端末を識別するための装置を含み、モニターが、有線または無線のネットワークを介してサーバーに接続され、本開示の実施形態の第４の態様または第４の態様の可能な実現態様に従って端末を監視するための装置を含む、ターゲット端末を識別するためのシステムが提供されている。
【００２９】
本開示の実施形態の第８の態様によれば、本開示の実施形態の第６の態様に係るサーバーと、本開示の実施形態の第７の態様に係るモニターからなるターゲット端末を識別するためのシステムが提供されている。
【発明の効果】
【００３０】
本開示の実施形態で開示される技術的解決手法は、以下のような有益な効果を有することが可能である。
【００３１】
宛先にアクセスする端末のアクセス記録を取得し、宛先にアクセスする端末のプロモーション情報にそれぞれ対応する複数の第１閲覧記録を取得し、次いでアクセス記録および複数の第１閲覧記録に従ってターゲット端末を識別し、そのターゲット端末が宛先に対応するプロモーション情報の閲覧後に宛先にアクセスする端末であることにより、販売業者が、ウェブサイトに掲載されたプロモーション情報が顧客に訴求されているかどうか、あるいはプロモーション情報が何人の顧客に訴求されているのかを判定することができないという従来技術における問題が解決され、宛先にアクセスする端末のいずれが、宛先に対応するプロモーション情報の閲覧後に宛先にアクセスする端末であるかを判定するという効果がもたらされ、販売業者は、ウェブサイトに掲載されたプロモーション情報が何人の顧客に訴求されているかを判定することが可能になる。
【図面の簡単な説明】
【００３２】
【図１】本開示のいくつかの例示的な実施形態に係るターゲット端末を識別するための方法の動作環境を示す概略図である。
【図２】本開示の例示的な実施形態に係るターゲット端末を識別するための方法のフローチャートである。
【図３】本開示の例示的な実施形態に係る端末を監視するための方法のフローチャートである。
【図４Ａ】本開示の例示的な実施形態に係るターゲット端末を識別するための方法の工程を示す概略図である。
【図４Ｂ】本開示の例示的な実施形態に係るターゲット端末を識別するための別の方法の工程を示す概略図である。
【図４Ｃ】本開示の例示的な実施形態に係るターゲット端末を識別するための方法の動作環境を示す概略図である。
【図５】本開示の例示的な実施形態に係るターゲット端末を識別するための装置のブロック図である。
【図６Ａ】本開示の例示的な実施形態に係るターゲット端末を識別するための装置のブロック図である。
【図６Ｂ】本開示の例示的な実施形態に係る端末検出部のブロック図である。
【図６Ｃ】本開示の例示的な実施形態に係るターゲット端末を識別するための別の装置のブロック図である。
【図７】本開示の例示的な実施形態に係る端末を監視するための装置のブロック図である。
【図８】本開示の例示的な実施形態に係る端末を監視するための別の装置のブロック図である。
【図９】本開示の例示的な実施形態に係るサーバーの概略図である。
【図１０】本開示の例示的な実施形態に係るモニターの概略図である。
【発明を実施するための形態】
【００３３】
上述の全般的な説明および以下に述べる詳細な説明は、具体例であって、例示的なものにすぎず、特許請求されている本発明の範囲の限定を意図するものではないことが理解されるべきである。
【００３４】
本明細書の一部に組み入れられこれを構成する添付の図面は、本開示の実施形態を示すものであり、その記載と共に本開示の原則を説明するのに有用である。
【００３５】
ここで、添付の図面にその例が示される例示的な実施形態の詳細について参照する。以下の説明では、別段の記載がない限り、異なる図面中の同じ数字が同一または類似の要素を表す添付の図面について言及する。例示的な実施形態の以下の記載に説明される実現態様が、本開示と一致するすべての実現態様を表すものではない。むしろ、それらは、添付請求項に記載の本開示に関連する態様と一致する装置器具および方法の単なる例にすぎない。
【００３６】
図１は、本開示のいくつかの例示的な実施形態に係るターゲット端末を識別するための方法の動作環境を示す概略図である。図１に示すように、該操作環境には、モニター１１０およびサーバー１２０が存在する。
【００３７】
モニター１１０は、宛先に設置された機器であり、宛先にアクセスする端末のアクセス記録を収集するように構成されている。モニター１１０は、有線または無線のネットワークを介してサーバー１２０に接続可能であるため、サーバー１２０にアクセス記録を送信することができる。
【００３８】
サーバー１２０は、有線または無線のネットワークを介してモニター１１０に接続することができる。サーバー１２０は、端末のプロモーション情報にそれぞれ対応する複数の第１閲覧記録を取得し、宛先にアクセスする端末のアクセス記録をモニター１１０から取得することが可能であり、それによって、サーバー１２０は、宛先に対応するプロモーション情報の閲覧後に宛先にアクセスする端末であるかどうかを、アクセス記録および複数の第１閲覧記録に従って判定することができる。
【００３９】
図２は、本開示の例示的な実施形態に係るターゲット端末を識別するための方法のフローチャートである。図２に示すように、ターゲット端末を識別するための方法は、図１に示される動作環境において、サーバー１２０に適用される。ターゲット端末を識別するための方法は、以下の工程を含むことができる。
【００４０】
工程２０１では、宛先にアクセスする端末のアクセス記録が取得される。
【００４１】
工程２０２では、宛先にアクセスする端末のプロモーション情報にそれぞれ対応する複数の第１閲覧記録が取得される。
【００４２】
工程２０３では、ターゲット端末はアクセス記録および複数の第１閲覧記録に従って識別され、ターゲット端末は宛先に対応するプロモーション情報の閲覧後に宛先にアクセスする端末である。
【００４３】
上述のように、本開示の実施形態に係るターゲット端末を識別する方法を用いる場合、宛先にアクセスする端末のアクセス記録を取得し、宛先にアクセスする端末のプロモーション情報にそれぞれ対応する複数の第１閲覧記録を取得し、次いでアクセス記録および複数の第１閲覧記録に従ってターゲット端末を識別し、そのターゲット端末が宛先に対応するプロモーション情報の閲覧後に宛先にアクセスする端末であることにより、販売業者が、ウェブサイトに掲載されたプロモーション情報が顧客に訴求されているかどうか、あるいはプロモーション情報が何人の顧客に訴求されているのかを判定することができないという従来技術における問題が解決され、宛先にアクセスする端末のいずれが、宛先に対応するプロモーション情報の閲覧後に宛先にアクセスする端末であるかを判定するという効果がもたらされ、販売業者は、ウェブサイトに掲載されたプロモーション情報が何人の顧客に訴求されているかを判定することが可能になる。
【００４４】
図３は、本開示の例示的な実施形態に係る端末を監視するための方法のフローチャートである。図３に示すように、端末を監視するための方法は、図１に示される動作環境において、モニター１１０に適用される。端末を監視するための方法は、以下の工程を含むことができる。
【００４５】
工程３０１では、宛先にアクセスする端末の端末識別子が取得される。
【００４６】
工程３０２では、端末のアクセス時間が記録される。
【００４７】
工程３０３では、宛先にアクセスする端末のアクセス記録が、端末識別子および端末のアクセス時間に従って生成される。
【００４８】
工程３０４では、アクセス記録が、サーバーに送信される。
【００４９】
アクセス記録は、宛先にアクセスする端末のプロモーション情報にそれぞれ対応する複数の第１閲覧記録を取得し、アクセス記録および複数の第１閲覧記録に従ってターゲット端末を識別するようにサーバーに命令するように構成されており、その場合にターゲット端末は、宛先に対応するプロモーション情報の閲覧後に宛先にアクセスする端末である。
【００５０】
上述のように、本開示の実施形態に係るターゲット端末を識別する方法を用いる場合、宛先にアクセスする端末の端末識別子およびアクセス時間を記録し、端末識別子および端末のアクセス時間に従って、宛先にアクセスする端末のアクセス記録を生成し、サーバーにアクセス記録を送信することで、宛先にアクセスする端末のプロモーション情報にそれぞれ対応する複数の第１閲覧記録を取得し、次いでアクセス記録および複数の第１閲覧記録に従ってターゲット端末を識別することができ、そのターゲット端末が宛先に対応するプロモーション情報の閲覧後に宛先にアクセスする端末であることにより、販売業者が、ウェブサイトに掲載されたプロモーション情報が顧客に訴求されているかどうか、あるいはプロモーション情報が何人の顧客に訴求されているのかを判定することができないという従来技術における問題が解決され、宛先にアクセスする端末のいずれが、宛先に対応するプロモーション情報の閲覧後に宛先にアクセスする端末であるかを判定するという効果がもたらされ、販売業者は、ウェブサイトに掲載されたプロモーション情報が何人の顧客に訴求されているかを判定することが可能になる。
【００５１】
図４Ａは、本開示の例示的な実施形態に係るターゲット端末を識別するための方法の工程を示す概略図である。図４Ａに示すように、ターゲット端末を識別するための方法は、図１に示される動作環境において適用される。ターゲット端末を識別するための方法は、以下の工程を含むことができる。
【００５２】
工程４０１では、宛先にアクセスする端末の端末識別子がモニターによって取得される。
【００５３】
販売業者は、自己の店舗にモニターを設置することで、端末を所持するユーザーが来店した際に、モニターによって店舗にアクセスしている端末の端末識別子を取得することができる。例えば、Ｘｉａｏｈｕａが「ＸＸ衣料品店」に来店すると、「ＸＸ衣料品店」のモニターは、Ｘｉａｏｈｕａが所持する端末の端末識別子を取得することができる。
【００５４】
実際の実現態様では、宛先にアクセスする端末の端末識別子をモニターによって取得する工程は、以下の手順を含むことができる。
【００５５】
まず、第１端末によって送信された放送信号を受信し、放送信号はワイファイ信号および／またはブルートゥース信号を含んでいる。
【００５６】
第１端末は、リアルタイムで放送信号を送信することが可能である。例えば、第１端末はＷｉＦｉ機能を作動させると、リアルタイムでＷｉＦｉ信号を放送することができ、また第１端末は、ブルートゥース機能を作動させると、リアルタイムでブルートゥース信号を放送することができる。このように、第１端末がモニターによって監視される領域に入ると、モニターは、第１端末によって送信された放送信号を受信することができる。実際の実現態様では、第１端末によって送信された放送信号は、第１端末のＭＡＣ（媒体アクセス制御）アドレスを含む場合がある。
【００５７】
第２に、放送信号から第１端末の端末識別子を抽出し、端末識別子は第１端末のＭＡＣアドレスを含んでいる。
【００５８】
放送信号を受信した後、モニターは、放送信号から第１端末の端末識別子を抽出することができ、端末識別子は第１端末のＭＡＣアドレスを含んでいる。
【００５９】
工程４０２では、端末のアクセス時間が、モニターによって記録される。
【００６０】
モニターは、端末のアクセス時間を記録することができる。実際の実現態様では、第１端末によって送信された放送信号がモニターによって受信されるため、第１端末は宛先にあり、従ってモニターは、第１端末によって送信された放送信号が受信された時間を記録し、記録された時間を第１端末のアクセス時間と定義することができる。
【００６１】
工程４０３では、宛先にアクセスする端末のアクセス記録が、端末識別子および端末のアクセス時間に従って、モニターによって生成される。
【００６２】
実際の実現態様では、アクセス記録は異なるモニターで生成されたアクセス記録を区別するため、即ち異なる宛先のアクセス記録を区別するために、モニターによって生成されたアクセス記録は、宛先の宛先識別子をも含むことができるが、これは本開示の実施形態において制限されるものではない。
【００６３】
工程４０４では、アクセス記録が、サーバーに送信される。
【００６４】
アクセス記録を生成した後、モニターはサーバーにアクセス記録を送信することができる。
【００６５】
アクセス記録は、宛先にアクセスする端末のプロモーション情報にそれぞれ対応する複数の第１閲覧記録を取得し、アクセス記録および複数の第１閲覧記録に従ってターゲット端末を識別するようにサーバーに命令するように構成されており、その場合にターゲット端末は宛先に対応するプロモーション情報の閲覧後に宛先にアクセスする端末である。
【００６６】
工程４０５では、モニターにより収集されたアクセス記録が、サーバーによって取得される。
【００６７】
それに対応して、サーバーは、モニターによって収集されたアクセス記録を取得することができる。
【００６８】
本実施形態は、アクセス記録を生成した後にサーバーに能動的にアクセス記録を送信するモニターを、例としてとらえているにすぎない点を説明しておかなければならない。実際の実現態様では、モニターは、サーバーに能動的にアクセス記録を送信する代わりに、サーバーによって送信されるアクセス記録を要求する要求信号を受信した後、サーバーにアクセス記録を送信する場合があるが、これは本開示の実施形態において制限されるものではない。また、実際の実現態様では、サーバーは、所定の間隔でモニターからアクセス記録を要求することができるが、これは本開示の実施形態において制限されるものではない。
【００６９】
工程４０６では、宛先にアクセスする端末のプロモーション情報にそれぞれ対応する複数の第１閲覧記録が、サーバーによって取得される。
【００７０】
宛先にアクセスする端末のアクセス記録を取得した後、サーバーは、宛先にアクセスする端末のプロモーション情報にそれぞれ対応する複数の第１閲覧記録を取得することができる。アクセス記録に記録されている端末が宛先にアクセスする端末であるため、サーバーは、アクセス記録に記録されている端末のプロモーション情報にそれぞれ対応する複数の第１閲覧記録を取得することができる。
【００７１】
実際の実現態様では、ユーザーがウェブサイトを訪れ、第１端末を用いてプロモーション情報を閲覧する時に、ウェブサーバーは第１端末の第１閲覧記録を記録することができ、この場合のウェブサーバーは、ユーザーによって閲覧されるウェブページに対応するサーバーである。例えば、ユーザーがウェブページ「Ｘフォーラム」を閲覧する場合、ウェブサーバーはウェブページ「Ｘフォーラム」のサーバーである。無論、実際の実現態様では、ユーザーがプロモーション情報を閲覧する時に、ユーザーの第１端末が他のサーバーに閲覧要求を送信することで、そのサーバーが第１端末の第１閲覧記録を記録できるようにすることが可能であるが、これは本開示の実施形態において制限されるものではない。さらに、ウェブサーバーと他のサーバーを本実施形態のサーバーと同様のサーバーであってもよく、これは本開示の実施形態において制限されるものではない。また、複数の第１閲覧記録を記録しているウェブサーバーや他のサーバーが本実施形態のサーバーではない場合には、サーバーは、端末のプロモーション情報にそれぞれ対応する複数の第１閲覧記録を取得することができ、ウェブサーバーや他のサーバーが本実施形態のサーバーである場合には、サーバーは、端末のプロモーション情報にそれぞれ対応する複数の第１閲覧記録を直接取得することができる。複数の第１閲覧記録を取得するための方法は、本開示の実施形態に制限されるものではない。
【００７２】
第１端末によって閲覧されているプロモーション情報がいずれであり、何時閲覧されているのかを識別するために、第１閲覧記録は、プロモーション情報の識別子および第１端末の閲覧時間を含むことができ、また、異なる端末を区別するために、第１閲覧記録はさらに第１端末の端末識別子を含むこともできる点を説明しておかなければならない。実際の実現態様では、第１閲覧記録が、異なる要件に応じて他の情報を含む場合がある。例えば、販売促進にプロモーション情報を用いている店舗を識別するために、第１閲覧記録は、プロモーション情報に対応する宛先識別子を更に含むことができる。第１閲覧記録のコンテンツは、本開示の実施形態に制限されるものではない。
【００７３】
工程４０７では、宛先に対応するプロモーション情報が第１端末によって閲覧されているかどうかが、複数の第１閲覧記録に従ってサーバーにより検出される。
【００７４】
複数の第１閲覧記録を受信した後、サーバーは、宛先に対応するプロモーション情報が第１端末によって閲覧されているかどうかを、複数の第１閲覧記録に従って検出することができる。
【００７５】
宛先に対応するプロモーション情報が第１端末によって閲覧されているかどうかをサーバーによって検出するための検出方法は、以下の方法のいずれかを含む場合がある。
【００７６】
［第１の方法］
複数の第１閲覧記録の各々が、端末識別子、プロモーション情報の識別子、宛先識別子、ならびにプロモーション情報に対応する閲覧時間を含む場合に、第１端末の端末識別子と宛先の宛先識別子とを含む第１閲覧記録が存在するかどうかが検出される。
【００７７】
複数の第１閲覧記録の各々が、端末識別子、プロモーション情報の識別子、宛先識別子、ならびにプロモーション情報に対応する閲覧時間を含む場合に、サーバーは、第１端末の端末識別子と宛先の宛先識別子とを含む第１閲覧記録が存在するかどうかを検出することができる。複数の第１閲覧記録において、第１端末の端末識別子と宛先の宛先識別子とを含む第１閲覧記録が存在する場合、宛先に対応するプロモーション情報が第１端末によって閲覧されていることが検出される。複数の第１閲覧記録において、第１端末の端末識別子と宛先の宛先識別子とを含む第１閲覧記録が存在しない場合、宛先に対応するプロモーション情報が第１端末によって閲覧されていないことが検出される。
【００７８】
実際の実現態様では、サーバーは、第１端末の端末識別子を含む第１閲覧記録を選択して、次いで第１閲覧記録が宛先の宛先識別子を含むかどうかを検出することができる。第１閲覧記録が宛先識別子を含む場合には、宛先に対応するプロモーション情報が第１端末によって閲覧されていることが検出され、含まない場合は、宛先に対応するプロモーション情報が第１端末によって閲覧されていないことが検出される。
【００７９】
［第２の方法］
複数の第１閲覧記録の各々が、端末識別子、プロモーション情報の識別子、閲覧時間を含む場合、宛先に対応するプロモーション情報ベースが取得され、宛先に対応するプロモーション情報が第１端末によって閲覧されているかどうかが、第１閲覧記録およびプロモーション情報ベースに従って検出される。
【００８０】
複数の第１閲覧記録の各々が単に、端末識別子、プロモーション情報の識別子、閲覧時間のみを含む場合、サーバーは、宛先に対応するプロモーション情報ベースを取得することで、第１閲覧記録に記録されたプロモーション情報が宛先に対応するプロモーション情報であるかどうかを判別することができるため、宛先に対応するプロモーション情報が第１端末によって閲覧されているかどうかを、第１閲覧記録およびプロモーション情報ベースに従って検出することが可能になる。
【００８１】
販売業者がプロモーション情報を掲載する時、サーバーは、プロモーション情報の識別子と販売業者が販売促進の対象となる宛先の宛先識別子との関係を確立できるため、サーバーは、その関係に照会を行って、宛先に対応するプロモーション情報ベースを取得することができる。
【００８２】
サーバーが、宛先に対応するプロモーション情報が第１端末によって閲覧されているかどうかを、第１閲覧記録およびプロモーション情報ベースに従って検出する工程は、以下の手順を含むことができる。
【００８３】
サーバーは、第１閲覧記録に記録されたプロモーション情報が、取得されたプロモーション情報ベース内にあるかどうかを判別することができ、検出結果が、第１閲覧記録に記録されたプロモーション情報が、取得されたプロモーション情報ベース内にあることを示す場合、サーバーは、宛先に対応するプロモーション情報が第１端末によって閲覧されていると判定することができる。
【００８４】
工程４０８では、宛先に対応するプロモーション情報が第１端末によって閲覧される場合、第１端末の閲覧時間が、第１端末が宛先にアクセスする際のアクセス時間より前であるかどうかが、アクセス記録に従ってサーバーにより検出される。
【００８５】
第１端末が宛先にアクセスする前に、宛先に対応するプロモーション情報が第１端末によって閲覧されているかどうかを更に検出するために、サーバーは、第１端末の閲覧時間が、第１端末が宛先にアクセスする際のアクセス時間より前であるかどうかを、アクセス記録に従って検出することができる。
【００８６】
販売業者は、長期に渡りインターネット上で同じプロモーション情報を掲載することがあり、プロモーション情報を閲覧した後、ユーザーは、通常、短期間のうちに商品を購入するために対応する宛先にアクセスしており、プロモーション情報を閲覧した後時間が経ってから対応の宛先にアクセスすることはないため、サーバーが、第１端末の閲覧時間が第１端末が宛先にアクセスする際のアクセス時間より前であるかどうかを、アクセス記録に従って検出する工程は、第１端末の閲覧時間が所定の時間範囲内であるかどうかを、アクセス記録に従って検出する工程を含むことができる。
サーバーは、アクセス記録に従って第１端末の閲覧時間が所定の時間範囲内であることを検出する。
【００８７】
サーバーの検出結果が、第１端末の閲覧時間が所定の時間範囲内であることを示す場合は、サーバーは、第１端末の閲覧時間が、第１端末が宛先にアクセスする際のアクセス時間より前であると判定することができる。サーバーの検出結果が、第１端末の閲覧時間が所定の時間範囲内ではないことを示す場合は、ユーザーは自身が閲覧したプロモーション情報を忘れる場合があるため、サーバーは、宛先に対応するプロモーション情報が、第１端末が宛先にアクセスする前に第１端末によって閲覧されていると判定することはできない。この時点で、手順は終了することができる。
【００８８】
所定の時間範囲とは、第１端末が宛先にアクセスする際のアクセス時間より前の時間間隔である。例えば、所定の時間範囲とは、第１端末が宛先にアクセスする際のアクセス時間より１ヶ月前からアクセスするまでの時間である。
【００８９】
工程４０９では、閲覧時間がアクセス時間より前である場合、サーバーは、第１端末がターゲット端末であると識別する。
【００９０】
サーバーの検出結果が、第１端末の閲覧時間がアクセス時間より前であるということを示す場合、宛先のプロモーション情報を閲覧した後、すなわち、サーバーが第１端末をターゲット端末と識別した後に、サーバーは、第１端末が宛先にアクセスしている端末であると判定することができる。ターゲット端末とは、宛先に対応するプロモーション情報を閲覧した後に宛先にアクセスする端末である。
【００９１】
ターゲット端末は、プロモーション情報の訴求対象でありかつ販売業者に利益をもたらす顧客が所持しているため、販売業者は、プロモーション情報を掲載するウェブサイトに、宛先にアクセスするターゲット端末の数に応じて、プロモーション情報の代価を支払う場合があり、掲載されたプロモーション情報がいずれの顧客にも訴求されていない、あるいは少数の顧客にしか訴求されていないにも拘わらず、販売業者がプロモーション情報の多額の費用を支払うという問題が生じている点を説明しておかなければならない。一方、販売業者は、自己の店舗にアクセスしているターゲット端末の数をサーバーから取得し、顧客が商品を購入する際に、顧客の支払額を記録することができるため、販売業者は、各々のターゲット端末からもたらされる利益を計算することができ、つまり、掲載されたプロモーション情報が利益をもたらしているかを判定することができるようになる。
【００９２】
上述のように、本開示の実施形態に係るターゲット端末を識別する方法を用いる場合、宛先にアクセスする端末のアクセス記録を取得し、宛先にアクセスする端末のプロモーション情報にそれぞれ対応する複数の第１閲覧記録を取得し、次いでアクセス記録および複数の第１閲覧記録に従ってターゲット端末を識別し、そのターゲット端末が宛先に対応するプロモーション情報の閲覧後に宛先にアクセスする端末であることにより、販売業者が、ウェブサイトに掲載されたプロモーション情報が顧客に訴求されているかどうか、あるいはプロモーション情報が何人の顧客に訴求されているのかを判定することができないという従来技術における問題が解決され、宛先にアクセスする端末のいずれが、宛先に対応するプロモーション情報の閲覧後に宛先にアクセスする端末であるかを判定するという効果がもたらされ、販売業者は、ウェブサイトに掲載されたプロモーション情報が何人の顧客に訴求されているかを判定することが可能になる。
【００９３】
本実施形態では、端末がモニターによって監視される領域に入ると、モニターは、端末によって送信された放送信号に従って、好都合かつ効率的に端末の端末識別子を取得することができ、ユーザーはいかなる操作も不要となり、モニターが店舗の顧客の流れを好都合に計算するという効果がもたらされる。
【００９４】
図４Ｂを参照する場合に、ターゲット端末を識別した後、サーバーからさらに以下の工程を行うことができる点を説明しておかなければならない。
【００９５】
工程４１０では、宛先に対応するプロモーション情報ベース内のすべてのプロモーション情報の第２閲覧記録が取得される。
【００９６】
サーバーは、宛先に対応するプロモーション情報ベース内のすべてのプロモーション情報の第２閲覧記録を取得することができる。実際の実現態様では、最初に、サーバーは宛先に対応するプロモーション情報ベースを取得し、次いでプロモーション情報ベースにおいてすべてのプロモーション情報の第２閲覧記録を取得することができるが、本明細書においては細述していない。
【００９７】
工程４１１では、プロモーション情報ベース内のすべてのプロモーション情報が、すべてのプロモーション情報の第２閲覧記録、複数の第１閲覧記録、およびアクセス記録に従って分析される。
【００９８】
すべてのプロモーション情報の第２閲覧記録、複数の第１閲覧記録およびアクセス記録に従って、サーバーがプロモーション情報ベース内のすべてのプロモーション情報を分析する工程は、以下の手順を含むことができる。
【００９９】
第１に、第１プロモーション情報に対応するターゲット端末の数が、アクセス記録および複数の第１閲覧記録に従って計算される。
【０１００】
サーバーは、アクセス記録および複数の第１閲覧記録に従って、第１プロモーション情報に対応するターゲット端末の数を計算する。実際の実現態様では、サーバーは、ターゲット端末によって閲覧されるプロモーション情報に従って、識別されたターゲット端末を分類し、次いで個々のプロモーション情報に対応するターゲット端末の数、すなわち種類ごとのターゲット端末の数を計算することができる。
【０１０１】
第２に、第１プロモーション情報が閲覧された回数は、すべてのプロモーション情報の第２閲覧記録に従って計算される。
【０１０２】
実際の実現態様では、サーバーは、すべてのプロモーション情報の第２閲覧記録において第１プロモーション情報に対応する閲覧記録の数を計数することができ、次いで、計数された閲覧記録の数は、第１プロモーション情報が閲覧された回数として使用することができる。
【０１０３】
第３に、計数された閲覧記録の数と閲覧された回数に従って、第１プロモーション情報の交換率を計算する。
【０１０４】
サーバーは、この閲覧記録数と閲覧回数に従って、第１プロモーション情報の交換率を計算することができる。実際の実現態様では、サーバーは、第１プロモーション情報に対応するターゲット端末の数と第１プロモーション情報が閲覧された回数との比率を計算することができ、次いで算出された割合が、第１プロモーション情報の交換率として使用できることで、サーバーは第１プロモーション情報の効果を量子化するという効果がもたらされる。実際の実現態様では、第１ターゲット端末に関して、第１プロモーション情報の交換率を向上させるために、サーバーは、第１ターゲット端末の第１閲覧記録に従って、第１ターゲット端末によって閲覧されるプロモーション情報に対応する１種類の販促品目を判定し、個々の店舗のプロモーション情報ベース内の１種類の販促品目に対応するプロモーション情報を選択し、次いで選択されたプロモーション情報のうち、第１ターゲット端末によって閲覧されたプロモーション情報以外のプロモーション情報を第１ターゲット端末に送信する。このように、サーバーによって第１ターゲット端末に送信されたすべてのプロモーション情報がユーザーが関心を示し得る品目のプロモーション情報であるため、プロモーション情報の閲覧後にユーザーがプロモーション情報に対応する宛先にアクセスする可能性が高まり、第１端末に送信されたプロモーション情報がユーザーにとって無用であるが故に生じるユーザーへの混乱を回避することができるため、ユーザーの使用体験が向上する。
【０１０５】
本実施形態では、１台以上のモニターを設置することができる点を説明しておかなければならない。例えば、宛先の領域が小さい場合、モニターは、宛先にアクセスする端末のすべての端末識別子を取得できるため、店舗にはモニターを１台設置するだけでもよい。（巨大ショッピングモール等）宛先の領域が大きい場合には、端末によって送信された放送信号を受信できる領域が小さいため、モニターは、すべての端末識別子を取得するための要件を満たすことが不可能であり、この時点では、２台以上のモニターが用いられる場合あるが、これは本開示の実施形態において制限されるものではない。
【０１０６】
図４Ｃを参照すると、実際の適用において、一例としてプロモーション情報を広告ととらえる場合、販売業者４１は、店舗にアクセスする端末を監視するために自己の店舗にモニター４２を設置して、店舗にアクセスするユーザーのうちのいずれのユーザーが、ターゲットユーザーであるかを識別することができ、ターゲットユーザーが、販売業者がインターネット上で掲載した広告を閲覧した後に店舗をアクセスするユーザーであるため、モニター４２は、店舗にアクセスする端末によって送信された放送信号を監視することができ、それによって店舗にアクセスする端末のアクセス記録を取得することができる点を説明しておかなければならない。また、販売業者４１がプラットフォーム上で広告を掲載している場合、プラットフォームは、販売業者４１が掲載した広告をユーザー４３に送信し、ユーザー４３が広告を閲覧する際に、ユーザー４３の広告閲覧記録を記録することができる。システムは、所定の間隔で店舗に対応するアクセス記録をモニター４２から取得し、ユーザーの広告閲覧記録をプラットフォームから取得して、次いでアクセス記録および広告閲覧記録に従って、ユーザーがターゲットユーザーであるかどうかを識別することができる。この方法により、販売業者は、店舗にアクセスするユーザーのうちのいずれのユーザーが、ターゲットユーザーであるかをシステムを介して識別することができるが、次いで販売業者は、ターゲットユーザーの数に応じて、広告掲載を行うプラットフォームに、広告の代価を払う場合があり、掲載されたプロモーション情報がいずれの顧客にも訴求されていない、あるいは少数の顧客にしか訴求されていないにも拘わらず、販売業者４１がプロモーション情報の多額の費用を支払うことになるという問題が生じる。
【０１０７】
本開示の方法の実施形態を実行するように構成された本開示の装置の実施形態については、以下で説明する。本開示の装置の実施形態では開示されていない詳細については、本開示の方法の実施形態を参照する。
【０１０８】
図５は、本開示の例示的な実施形態に係るターゲット端末を識別するための装置のブロック図である。図５に示すように、ターゲット端末を識別するための装置は、図１に示される動作環境において、サーバー１２０に適用され、ターゲット端末を識別するための装置は、これらに制限されるものではないが、第１取得モジュール５１０、第２取得モジュール５２０、および端末識別モジュール５３０を含む。
【０１０９】
第１取得モジュール５１０は、宛先にアクセスする端末のアクセス記録を取得するように構成されている。
【０１１０】
第２取得モジュール５２０は、宛先にアクセスする端末のプロモーション情報にそれぞれ対応する複数の第１閲覧記録を取得するように構成されている。
【０１１１】
端末識別モジュール５３０は、第１取得モジュール５１０によって取得されたアクセス記録および第２取得モジュール５２０によって取得された複数の第１閲覧記録に従って、ターゲット端末を識別するように構成されており、ここでターゲット端末は宛先に対応するプロモーション情報の閲覧後に宛先にアクセスする端末である。
【０１１２】
上述のように、本開示の実施形態に係るターゲット端末を識別する装置を用いる場合、宛先にアクセスする端末のアクセス記録を取得し、宛先にアクセスする端末のプロモーション情報にそれぞれ対応する複数の第１閲覧記録を取得し、次いでアクセス記録および複数の第１閲覧記録に従ってターゲット端末を識別し、そのターゲット端末が宛先に対応するプロモーション情報の閲覧後に宛先にアクセスする端末であることにより、販売業者が、ウェブサイトに掲載されたプロモーション情報が顧客に訴求されているかどうか、あるいはプロモーション情報が何人の顧客に訴求されているのかを判定することができないという従来技術における問題が解決され、宛先にアクセスする端末のいずれが、宛先に対応するプロモーション情報の閲覧後に宛先にアクセスする端末であるかを判定するという効果がもたらされ、販売業者は、ウェブサイトに掲載されたプロモーション情報が何人の顧客に訴求されているかを判定することが可能になる。
【０１１３】
図６は、本開示の例示的な実施形態に係るターゲット端末を識別するための装置のブロック図である。図６で示すように、ターゲット端末を識別するための装置は、図１に示される動作環境において、サーバー１２０に適用され、ターゲット端末を識別するための装置は、これらに制限されるものではないが、第１取得モジュール６１０、第２取得モジュール６２０、および端末識別モジュール６３０を含む。
【０１１４】
第１取得モジュール６１０は、宛先にアクセスする端末のアクセス記録を取得するように構成されている。
【０１１５】
第２取得モジュール６２０は、宛先にアクセスする端末のプロモーション情報にそれぞれ対応する複数の第１閲覧記録を取得するように構成されている。
【０１１６】
端末識別モジュール６３０は、第１取得モジュール６１０によって取得されたアクセス記録および第２取得モジュール６２０によって取得された複数の第１閲覧記録に従って、ターゲット端末を識別するように構成されており、ここでターゲット端末は宛先に対応するプロモーション情報の閲覧後に宛先にアクセスする端末である。
【０１１７】
本実施形態の第１の可能な実現態様では、端末識別モジュール６３０は、宛先に対応するプロモーション情報が、第１端末によって閲覧されているかどうかを、複数の閲覧記録に従って検出するように構成された端末検出部６３１と、端末検出部６３１の検出結果が、宛先に対応するプロモーション情報が第１端末によって閲覧されていることを示す場合に、第１端末の閲覧時間が、第１端末が宛先にアクセスする際のアクセス時間より前であるかどうかを検出するように構成された時間検出部６３２と、時間検出部６３２の検出結果が、宛先に対応するプロモーション情報が、閲覧時間がアクセス時間よりも前であることを示す場合に、第１端末をターゲット端末の１つと識別するように構成された端末識別部６３３とを含む。
【０１１８】
図６Ｂを参照すると、本実施形態の第２の可能な実現態様では、端末検出部６３１は、複数の第１閲覧記録の各々が、端末識別子、プロモーション情報識別子、宛先識別子、およびプロモーション情報に対応する閲覧時間を含む場合に、第１端末の端末識別子と宛先の宛先識別子とを含む第１閲覧記録が存在するかどうかを検出するように構成された第１検出サブユニット６３１ａと、複数の第１閲覧記録の各々が、端末識別子、プロモーション情報の識別子、閲覧時間を含む場合に、宛先に対応するプロモーション情報ベースを取得して、宛先に対応するプロモーション情報が第１端末によって閲覧されているかどうかを、第１閲覧記録およびプロモーション情報ベースに従って検出するように構成された第２検出サブユニット６３１ｂとを含む。
【０１１９】
本実施形態の第３の可能な実現態様では、時間検出部６３２は、第１端末の閲覧時間が所定の時間範囲内であるかどうかを、アクセス記録に従って検出するように構成されており、所定の時間範囲とは、第１端末が宛先にアクセスする際のアクセス時間より前の時間間隔である。
【０１２０】
本実施形態の第４の可能な実現態様では、第１取得モジュール６１０は、モニターによって収集されたアクセス記録を取得するように構成されており、アクセス記録は宛先に設けられたモニターによって、端末より送信された放送信号に従って収集され、放送信号はワイファイ信号および／またはブルートゥース信号を含んでいる。
【０１２１】
図６Ｃを参照すると、本実施形態の第５の可能な実現態様では、この装置はさらに、宛先に対応するプロモーション情報ベース内のすべてのプロモーション情報の第２閲覧記録を取得するように構成された第３取得モジュール６４０と、すべてのプロモーション情報の第２閲覧記録、複数の第１閲覧記録およびアクセス記録に従って、プロモーション情報ベース内のすべてのプロモーション情報を分析するように構成された分析モジュール６５０とを含む。
【０１２２】
本実施形態の第６の可能な実現態様では、分析モジュール６５０は、アクセス記録および複数の第１閲覧記録に従って、第１プロモーション情報に対応するターゲット端末の数を計算するように構成された第１計算部６５１と、すべてのプロモーション情報の第２閲覧記録に従って、第１プロモーション情報が閲覧された回数を計算するように構成された第２計算部６５２と、第１計算部６５１によって算出されたターゲット端末の数と第２計算部６５２によって算出された閲覧回数に従って、第１プロモーション情報の交換率を計算するように構成された第３計算部６５３とを含む。
【０１２３】
上述のように、本開示の実施形態に係るターゲット端末を識別する装置を用いる場合、宛先にアクセスする端末のアクセス記録を取得し、宛先にアクセスする端末のプロモーション情報にそれぞれ対応する複数の第１閲覧記録を取得し、次いでアクセス記録および複数の第１閲覧記録に従ってターゲット端末を識別し、そのターゲット端末が宛先に対応するプロモーション情報の閲覧後に宛先にアクセスする端末であることにより、販売業者が、ウェブサイトに掲載されたプロモーション情報が顧客に訴求されているかどうか、あるいはプロモーション情報が何人の顧客に訴求されているのかを判定することができないという従来技術における問題が解決され、宛先にアクセスする端末のいずれが、宛先に対応するプロモーション情報の閲覧後に宛先にアクセスする端末であるかを判定するという効果がもたらされ、販売業者は、ウェブサイトに掲載されたプロモーション情報が何人の顧客に訴求されているかを判定することが可能になる。
【０１２４】
図７は、本開示の例示的な実施形態に係る端末を監視するための装置のブロック図である。図７に示すように、端末を監視するための装置は、図１に示される動作環境において、モニター１１０に適用され、端末を監視するための装置は、これらに限定されるものではないが、識別子取得モジュール７１０、時間記録モジュール７２０、記録生成モジュール７３０および記録送信モジュール７４０を含む。
【０１２５】
識別子取得モジュール７１０は、宛先にアクセスする端末の端末識別子を取得するように構成されている。
【０１２６】
時間記録モジュール７２０は、端末のアクセス時間を記録するように構成されている。
【０１２７】
記録生成モジュール７３０は、識別子取得モジュール７１０によって取得された端末の端末識別子および時間記録モジュール７２０によって記録された端末のアクセス時間に従って、宛先にアクセスする端末のアクセス記録を生成するように構成されている。
【０１２８】
記録送信モジュール７４０は、記録生成モジュール７３０によって生成されたアクセス記録をサーバーに送信するように構成されており、アクセス記録は、宛先にアクセスする端末のプロモーション情報に対応する複数の第１閲覧記録を取得し、アクセス記録および複数の第１閲覧記録に従ってターゲット端末を識別するようにサーバーに命令するように構成されており、ターゲット端末は宛先に対応するプロモーション情報の閲覧後に宛先にアクセスする端末である。
【０１２９】
上述のように、本開示の実施形態に係る端末を監視する装置を用いる場合、宛先にアクセスする端末の端末識別子およびアクセス時間を記録し、端末識別子および端末のアクセス時間に従って、宛先にアクセスする端末のアクセス記録を生成し、サーバーにアクセス記録を送信することで、サーバーは、宛先にアクセスする端末のプロモーション情報にそれぞれ対応する複数の第１閲覧記録を取得して、アクセス記録および複数の第１閲覧記録に従ってターゲット端末を識別することができ、そのターゲット端末が宛先に対応するプロモーション情報の閲覧後に宛先にアクセスする端末であることにより、販売業者が、ウェブサイトに掲載されたプロモーション情報が顧客に訴求されているかどうか、あるいはプロモーション情報が何人の顧客に訴求されているのかを判定することができないという従来技術における問題が解決され、宛先にアクセスする端末のいずれが、宛先に対応するプロモーション情報の閲覧後に宛先にアクセスする端末であるかを判定するという効果がもたらされ、販売業者は、ウェブサイトに掲載されたプロモーション情報が何人の顧客に訴求されているかを判定することが可能になる。
【０１３０】
図８は、本開示の例示的な実施形態に係る端末を監視するための装置のブロック図である。図８に示すように、端末を監視するための装置は、図１に示される動作環境においてモニター１１０に適用される。端末を監視するための装置は、これらに限定されるものではないが、識別子取得モジュール８１０、時間記録モジュール８２０、記録生成モジュール８３０および記録送信モジュール８４０を含む。
【０１３１】
識別子取得モジュール８１０は、宛先にアクセスする端末の端末識別子を取得するように構成されている。
【０１３２】
時間記録モジュール８２０は、端末のアクセス時間を記録するように構成されている。
【０１３３】
記録生成モジュール８３０は、識別子取得モジュール８１０によって取得された端末の端末識別子および時間記録モジュール８２０によって記録された端末のアクセス時間に従って、宛先にアクセスする端末のアクセス記録を生成するように構成されている。
【０１３４】
記録送信モジュール８４０は、記録生成モジュール８３０によって生成されたアクセス記録をサーバーに送信するように構成されており、ここで、アクセス記録は、宛先にアクセスする端末のプロモーション情報に対応する複数の第１閲覧記録を取得し、アクセス記録および複数の第１閲覧記録に従ってターゲット端末を識別するようにサーバーに命令するように構成されており、ターゲット端末は宛先に対応するプロモーション情報の閲覧後に宛先にアクセスする端末である。
【０１３５】
本実施形態の可能な実現態様では、識別子取得モジュール８１０は、第１端末によって送信された放送信号を受信するように構成され、その放送信号がワイファイ信号および／またはブルートゥース信号を含む信号受信部８１１と、信号受信部８１１によって受信された放送信号から第１端末の端末識別子を抽出するように構成され、その端末識別子が第１端末のＭＡＣアドレスを含む識別子抽出部８１２とを含む。
【０１３６】
上述のように、本開示の実施形態に係る端末を監視する装置を用いる場合、宛先にアクセスする端末の端末識別子およびアクセス時間を記録し、端末識別子および端末のアクセス時間に従って、宛先にアクセスする端末のアクセス記録を生成し、サーバーにアクセス記録を送信することで、サーバーは、宛先にアクセスする端末のプロモーション情報にそれぞれ対応する複数の第１閲覧記録を取得して、アクセス記録および複数の第１閲覧記録に従ってターゲット端末を識別することができ、そのターゲット端末が宛先に対応するプロモーション情報の閲覧後に宛先にアクセスする端末であることにより、販売業者が、ウェブサイトに掲載されたプロモーション情報が顧客に訴求されているかどうか、あるいはプロモーション情報が何人の顧客に訴求されているのかを判定することができないという従来技術における問題が解決され、宛先にアクセスする端末のいずれが、宛先に対応するプロモーション情報の閲覧後に宛先にアクセスする端末であるかを判定するという効果がもたらされ、販売業者は、ウェブサイトに掲載されたプロモーション情報が何人の顧客に訴求されているかを判定することが可能になる。
【０１３７】
本開示の実施形態は、サーバーおよびモニターを含むことができるターゲット端末を識別するためのシステムを提供している。サーバーは、有線または無線のネットワークを介してモニターに接続され、サーバーは図５、図６Aまたは図６Cに示されるターゲット端末を識別するための装置を含んでいる。モニターは有線または無線のネットワークを介してサーバーに接続され、モニターは図７または図８に示される端末を監視するための装置を含んでいる。ターゲット端末を識別するための装置の詳細な説明については、ターゲット端末を識別するための装置に対応する実施形態を参照し、端末を監視するための装置の詳細な説明については、端末を監視するための装置に対応する実施形態を参照するが、本明細書には記載していない。
【０１３８】
上述のように、本開示の実施形態に係るターゲット端末を識別するシステムを用いる場合、宛先にアクセスする端末のアクセス記録を取得し、宛先にアクセスする端末のプロモーション情報にそれぞれ対応する複数の第１閲覧記録を取得し、次いでアクセス記録および複数の第１閲覧記録に従ってターゲット端末を識別し、そのターゲット端末が宛先に対応するプロモーション情報の閲覧後に宛先にアクセスする端末であることにより、販売業者が、ウェブサイトに掲載されたプロモーション情報が顧客に訴求されているかどうか、あるいはプロモーション情報が何人の顧客に訴求されているのかを判定することができないという従来技術における問題が解決され、宛先にアクセスする端末のいずれが、宛先に対応するプロモーション情報の閲覧後に宛先にアクセスする端末であるかを判定するという効果がもたらされ、販売業者は、ウェブサイトに掲載されたプロモーション情報が何人の顧客に訴求されているかを判定することが可能になる。
【０１３９】
上記の実施形態において、ターゲット端末を識別するための装置および設置された端末を監視するための装置は、ターゲット端末を識別するための装置がターゲット端末を識別し、端末を監視するための装置が端末を監視する場合の単なる１つの例としてとらえているに過ぎない点を説明しておかなければならない。実際の実現態様では、上記の機能は、必要に応じて異なるモジュールで実装することができる。すなわち、上記の機能の一部または全体を実装するように、端末の内部構造を異なるモジュールに分割することができる。また、上記の実施形態において設置されるターゲット端末を識別するための装置とターゲット端末を識別するための方法に関する実施形態は、同じ概念に属するものであり、また、端末を監視するための装置と端末を監視するための方法に関する実施形態は、同じ概念に属するものであり、ターゲット端末を識別するための装置と端末を監視するための装置の識別の実現態様については、その方法の実施形態を参照するが、本明細書においては細述していない。
【０１４０】
図９は、本開示の例示的な実施形態に係るサーバーの概略図である。サーバー９００は、その構成や能力を広範に変化させることができるが、１つ以上の中央演算処理装置（ＣＰＵ）９２２、メモリ９３２、アプリケーションプログラム９４２や、データ９４４を保存するための１つ以上の記憶媒体９３０（１つ以上の大容量記憶装置等）を含むことができる。メモリ９３２および記憶媒体９３０は、一時メモリでも固定メモリでもよい。記憶媒体９３０に保存されるアプリケーションプログラムは、１つ以上のモジュール（図示せず）を含むことができ、個々のモジュールは、サーバーに対する一連の命令を含むことができる。さらに、中央演算処理装置９２２は、記憶媒体９３０と通信して、サーバー９００の記憶媒体９３０に保存される一連の命令を実行し、サーバー側で上記の方法における工程のすべてまたは一部を実施するように構成されている。
【０１４１】
サーバー９００はさらに、１つ以上の電源９２６、１つ以上の有線または無線のネットワークインタフェース９５０、１つ以上の入出力インタフェース９５８、１つ以上のキーボード９５６、および／またはＷｉｎｄｏｗｓ  Ｓｅｒｖｅｒ（商標）、Ｍａｃ  ＯＳ  Ｘ（商標）、Ｕｎｉｘ（商標）、Ｌｉｎｕｘ（商標）、ＦｒｅｅＢＳＤ（商標）等のオペレーティングシステム９４１を１つ以上含むことができる。
【０１４２】
例示的な実施形態では、命令を含むメモリ１００４等の固定コンピューター可読記憶媒体も提供されており、この命令は、上記方法を実施するために、サーバー９００の処理装置９２２によって実行可能である。例えば、固定コンピューター可読記憶媒体は、ＲＯＭ、ＲＡＭ（ランダムアクセスメモリ）、ＣＤ−ＲＯＭ、磁気テープ、フロッピー（登録商標）ディスク、光学的データ記憶装置等であってもよい。
【０１４３】
図１０は、本開示の例示的な実施形態に係るモニター１０００の概略図である。例えば、モニター１０００は、携帯電話、コンピューター、デジタル放送端末、メッセージ送受信機器、ゲームコントローラー、タブレット装置、医療機器、フィットネス機器、ＰＤＡ、等であってもよい。
【０１４４】
図１０を参照すると、モニター１０００は、以下のコンポーネントの１つ以上を含むことができ、それらは処理コンポーネント１００２、メモリ１００４、電源コンポーネント１００６、マルチメディアコンポーネント１００８、音声コンポーネント１０１０、入出力（Ｉ／Ｏ）インタフェース１０１２、センサーコンポーネント１０１４および通信コンポーネント１０１６である。
【０１４５】
処理コンポーネント１００２は、典型的にはモニター１０００の全般的な操作、例えば、表示関連の操作、電話、データ通信、カメラ操作、記録操作等を制御する。処理コンポーネント１００２は、上記の方法における工程のすべてまたは一部を実施するように命令を実行する１つ以上の処理装置１０１８を、サーバー側に含むことができる。また、処理コンポーネント１００２は、処理コンポーネント１００２と他のコンポーネントとの対話処理を促す１つ以上のモジュールを含むことができる。例えば、処理コンポーネント１００２は、マルチメディアコンポーネント１００８と処理コンポーネント１００２との対話処理を促すためのマルチメディアのモジュールを含むことができる。
【０１４６】
メモリ１００４は、様々な種類のデータを保存してモニター１０００の操作を支援するように構成されている。斯様なデータの例には、モニター１０００で作動する任意のアプリケーションについての使用説明や方法、交信データ、電話帳データ、メッセージ、写真、動画、等がある。メモリ１００４は、静的ランダムアクセスメモリ（ＳＲＡＭ）、電気消去可能プログラマブル読取り専用メモリ（ＥＥＰＲＯＭ）、消去可能プログラマブル読取り専用メモリ（ＥＰＲＯＭ）、プログラマブル読取り専用メモリ（ＰＲＯＭ）、読取り専用メモリ（ＲＯＭ）、磁気記憶装置、フラッシュメモリ、磁力ディスク、光ディスク等の任意の形態の揮発性または不揮発性の記憶装置あるいはそれらの組合せを用いて実装することができる。
【０１４７】
電源コンポーネント１００６は、モニター１０００の様々なコンポーネントに電源を供給する。電源コンポーネント１００６は、電源管理システム、１つ以上の電源、ならびにモニター１０００における電源の生成、管理、分配に関連する任意の他のコンポーネントを含むことができる。
【０１４８】
マルチメディアコンポーネント１００８は、モニター１０００とユーザーとの間の出力インタフェースを提供するスクリーンを含む。いくつかの実施形態において、スクリーンは液晶ディスプレイ（ＬＣＤ）およびタッチパネル（ＴＰ）を含むことができる。スクリーンは、タッチパネルを含む場合は、ユーザーからの入力信号を受信するタッチスクリーンとして実装することができる。タッチパネルは、タッチパネル上のタッチ、打ち込み、および所作を感知するための１つ以上のタッチセンサーを含む。タッチセンサーは、タッチと打ち込みの違いを感知するだけでなく、タッチおよび打ち込み動作の間合いや圧力を感知することができる。いくつかの実施形態において、マルチメディアコンポーネント１００８は、前面カメラおよび／または後方カメラを含む。前面カメラおよび後方カメラは、モニター１０００が写真モードまたは動画モード等の操作モードにある間、外部のマルチメディアデータを受信することができる。前面カメラおよび後方カメラの各々は、固定焦点の光学レンズ系であっても、焦点調節および光学ズームの能力を備えていてもよい。
【０１４９】
音声コンポーネント１０１０は、音声信号を出力および／または入力するように構成されている。例えば、音声コンポーネント１０１０は、モニター１０００が通話モード、記録モード、音声認識モード等の操作モードにある場合に、外部からの音声信号を受信するように構成されたマイクロホン（「ＭＩＣ」）を含んでいる。受信された音声信号はさらに、メモリ１００４に保存するか、通信コンポーネント１０１６を介して送信することができる。いくつかの実施形態において、音声コンポーネント１０１０は、音声信号を出力するスピーカーを含んでいる。
【０１５０】
Ｉ／Ｏインタフェース１０１２は、処理コンポーネント１００２と、キーボード、クリックホイール、ボタン等の周辺装置のインタフェースモジュールとの間のインタフェースを提供する。ボタンには、これらに限定されるものではないが、ホームボタン、ボリュームボタン、始動ボタンおよびロックボタンを含む場合がある。
【０１５１】
センサーコンポーネント１０１４は、モニター１０００の様々な態様のステータス評価を提供するための１つ以上のセンサーを含んでいる。例えば、センサーコンポーネント１０１４は、モニター１０００の開／閉ステータス、モニター１０００のコンポーネント（例えば、ディスプレイおよびキーパッド）の相対位置調整、モニター１０００またはモニター１０００のコンポーネントの位置の変化、モニター１０００へのユーザーの接触の有無、モニター１０００の配向または加速／減速、ならびにモニター１０００の温度変化を検出することができる。センサーコンポーネント１０１４は、物理的な接触を何ら介することなく近傍の対象物の存在を検出するように構成された近接センサーを含むことができる。センサーコンポーネント１０１４は、画像診断用途にＣＭＯＳまたはＣＣＤ等の光検出子を含むこともできる。いくつかの実施形態において、センサーコンポーネント１０１４は、加速度計センサー、ジャイロセンサー、磁気センサー、圧力センサー、または温度センサーを含むこともできる。
【０１５２】
通信コンポーネント１０１６は、モニター１０００および他の装置との間の有線または無線の通信を促すように構成されている。モニター１０００は、ＷｉＦｉ、２Ｇまたは３Ｇ、あるいはそれらの組合せ等の通信基準に基づいて、無線ネットワークにアクセスすることが可能である。１つの例示的な実施形態において、通信コンポーネント１０１６は、外部の放送管理システムから放送型通信路を介して、放送信号または放送関連情報を受信する。１つの例示的な実施形態において、通信コンポーネント１０１６はさらに、近距離通信を促す近距無線通信（ＮＦＣ）モジュールを含んでいる。例えば、ＮＦＣモジュールは、無線自動識別（ＲＦＩＤ）技術、赤外線データ協会（ＩｒＤＡ）技術、超広帯域無線（ＵＷＢ）技術、ブルートゥース（ＢＴ）技術、他の技術に基づいて、実装することができる。
【０１５３】
例示的な実施形態において、モニター１０００は、特定用途向け集積回路（ＡＳＩＣ）、デジタル信号処理プロセッサー（ＤＳＰ）、デジタル信号処理装置（ＤＳＰＤ）、プログラマブル論理回路（ＰＬＤ）、フィールドプログラマブルゲートアレイ（ＦＰＧＡ）、コントローラー、マイクロコントローラー、マイクロプロセッサー、その他の電子部品の１つ以上を実装して、本開示の実施形態に従って上記の方法を実施することができる。
【０１５４】
例示的な実施形態では、命令を含むメモリ１００４等の固定コンピューター可読記憶媒体も提供されており、この命令は、上記方法を実施するために、モニター１０００の処理装置１０１８によって実行可能である。例えば、固定コンピューター可読記憶媒体は、ＲＯＭ、ＲＡＭ（ランダムアクセスメモリ）、ＣＤ−ＲＯＭ、磁気テープ、フロッピー（登録商標）ディスク、光学的データ記憶装置等であってもよい。
【０１５５】
ターゲット端末を識別するためのシステムが提供されている。システムは、図９に示されるサーバーおよび図１０に示されるモニターを含むことができる。サーバーおよびモニターの詳細な説明については、対応する実施形態を参照するが、本明細書においては細述していない。
【０１５６】
上述のように、本開示の実施形態に係るターゲット端末を識別するシステムを用いる場合、宛先にアクセスする端末のアクセス記録を取得し、宛先にアクセスする端末のプロモーション情報にそれぞれ対応する複数の第１閲覧記録を取得し、次いでアクセス記録および複数の第１閲覧記録に従ってターゲット端末を識別し、そのターゲット端末が宛先に対応するプロモーション情報の閲覧後に宛先にアクセスする端末であることにより、販売業者が、ウェブサイトに掲載されたプロモーション情報が顧客に訴求されているかどうか、あるいはプロモーション情報が何人の顧客に訴求されているのかを判定することができないという従来技術における問題が解決され、宛先にアクセスする端末のいずれが、宛先に対応するプロモーション情報の閲覧後に宛先にアクセスする端末であるかを判定するという効果がもたらされ、販売業者は、ウェブサイトに掲載されたプロモーション情報が何人の顧客に訴求されているかを判定することが可能になる。
【０１５７】
本開示の他の実施形態は、本明細書の考察およびここに開示される開示内容を実施することにより当業者には明らかであろう。本願は、当該技術において既知の慣例事項の範囲内とされる本開示の派生物を含め、本開示の一般原則に従うあらゆる変形、用途、応用を網羅することを意図している。本明細書および各例は、例示的なものとしてのみ考察され、本開示の範囲および精神は、以下の特許請求の範囲によって示されることが意図されている。
【０１５８】
本開示は、上記および添付の図面に示される正確な構成物に限定されるものではなく、変更が本発明の範囲を逸脱しない限りにおいて様々な修正および変更が可能であることが理解されるであろう。本開示の範囲は、添付の請求項に基づいて規定されることが意図されている。
【図１】
2016524224.tif 000003
【図２】
2016524224.tif 000004
【図３】
2016524224.tif 000005
【図４Ａ】
2016524224.tif 000006
【図４Ｂ】
2016524224.tif 000007
【図４Ｃ】
2016524224.tif 000008
【図５】
2016524224.tif 000009
【図６Ａ】
2016524224.tif 000010
【図６Ｂ】
2016524224.tif 000011
【図６Ｃ】
2016524224.tif 000012
【図７】
2016524224.tif 000013
【図８】
2016524224.tif 000014
【図９】
2016524224.tif 000015
【図１０】
2016524224.tif 000016
【手続補正書】
【提出日】平成27年3月6日(2015.3.6)
【手続補正１】
【補正対象書類名】特許請求の範囲
【補正対象項目名】全文
【補正方法】変更
【補正の内容】
【特許請求の範囲】
【請求項１】
宛先にアクセスする端末のアクセス記録を取得する工程と、
前記宛先にアクセスする前記端末のプロモーション情報にそれぞれ対応する複数の第１閲覧記録を取得する工程と、
前記アクセス記録および前記複数の第１閲覧記録に従ってターゲット端末を識別する工程であって、前記ターゲット端末が前記宛先に対応するプロモーション情報の閲覧後に前記宛先にアクセスする端末である工程とを含むターゲット端末を識別するための方法。
【請求項２】
前記アクセス記録および前記複数の第１閲覧記録に従ってターゲット端末を識別する工程が、
前記宛先に対応する前記プロモーション情報が、第１端末によって閲覧されているかどうかを、前記複数の第1閲覧記録に従って検出する工程と、
前記宛先に対応する前記プロモーション情報が前記第１端末によって閲覧されていることが検出された場合に、前記第１端末の閲覧時間が、前記第１端末が前記宛先にアクセスする際のアクセス時間より前であるかどうかを検出する工程と、
前記閲覧時間が前記アクセス時間より前であることが検出された場合に、前記第１端末を前記ターゲット端末の１つと識別する工程とを含むことを特徴とする請求項１に記載の方法。
【請求項３】
前記宛先に対応する前記プロモーション情報が第１端末によって閲覧されているかどうかを、前記複数の第１閲覧記録に従って検出する工程が、
前記複数の第１閲覧記録の各々が、端末識別子、プロモーション情報の識別子、宛先識別子、および前記プロモーション情報に対応する閲覧時間を含む場合に、前記第１端末の端末識別子と前記宛先の宛先識別子とを含む第１閲覧記録が存在するかどうかを検出する工程と、
前記複数の第１閲覧記録の各々が、端末識別子、プロモーション情報の識別子、および閲覧時間を含む場合に、前記宛先に対応するプロモーション情報ベースを取得し、前記宛先に対応する前記プロモーション情報が前記第１端末によって閲覧されているかどうかを、前記第１閲覧記録および前記プロモーション情報ベースに従って検出する工程とを含むことを特徴とする請求項２に記載の方法。
【請求項４】
前記第１端末の閲覧時間が、前記第１端末が前記宛先にアクセスする際のアクセス時間より前であるかどうかを検出する工程が、
前記第１端末の前記閲覧時間が所定の時間範囲内であるかどうかを、前記アクセス記録に従って検出する工程を含み、前記所定の時間範囲が、前記第１端末が前記宛先にアクセスする際の前記アクセス時間より前の時間間隔であることを特徴とする請求項２に記載の方法。
【請求項５】
宛先にアクセスする端末のアクセス記録を取得する工程が、モニターによって収集された前記アクセス記録を取得する工程を含み、
前記アクセス記録が、前記宛先に設けられた前記モニターによって、前記端末により送信された放送信号に従って収集され、前記放送信号がワイファイ信号および／またはブルートゥース信号を含むことを特徴とする請求項１から４のいずれか１項に記載の方法。
【請求項６】
前記宛先に対応するプロモーション情報ベース内のすべてのプロモーション情報の第２閲覧記録を取得する工程と、
前記すべてのプロモーション情報の前記第２閲覧記録、前記複数の第１閲覧記録、および前記アクセス記録に従って、前記プロモーション情報ベース内の前記すべてのプロモーション情報を分析する工程とをさらに含むことを特徴とする請求項１から５のいずれか１項に記載の方法。
【請求項７】
前記すべてのプロモーション情報の前記第２閲覧記録、前記複数の第１閲覧記録、および前記アクセス記録に従って、前記プロモーション情報ベース内の前記すべてのプロモーション情報を分析する工程が、
前記アクセス記録および前記複数の第１閲覧記録に従って、第１プロモーション情報に対応する前記ターゲット端末の数を計算する工程と、
前記すべてのプロモーション情報の前記第２閲覧記録に従って、前記第１プロモーション情報が閲覧された回数を計算する工程と、
前記算出されたターゲット端末の数および前記閲覧回数に従って、前記第１プロモーション情報の交換率を計算する工程とを含むことを特徴とする請求項６に記載の方法。
【請求項８】
宛先にアクセスする端末のアクセス記録を取得するように構成された第１取得モジュールと、
前記宛先にアクセスする前記端末のプロモーション情報にそれぞれ対応する複数の第１閲覧記録を取得するように構成された第２取得モジュールと、
前記第１取得モジュールによって取得された前記アクセス記録と前記第２取得モジュールによって取得された前記複数の第１閲覧記録とに従って、ターゲット端末を識別するように構成された端末識別モジュールとを含み、前記ターゲット端末が、前記宛先に対応するプロモーション情報の閲覧後に前記宛先にアクセスする端末である、ことを特徴とするターゲット端末を識別するための装置。
【請求項９】
前記端末識別モジュールが、
前記宛先に対応する前記プロモーション情報が、第１端末によって閲覧されているかどうかを、前記複数の第１閲覧記録に従って検出するように構成された端末検出部と、
前記端末検出部の検出結果が、前記宛先に対応する前記プロモーション情報が前記第１端末によって閲覧されていることを示す場合に、前記第１端末の閲覧時間が、前記第１端末が前記宛先にアクセスする際のアクセス時間より前であるかどうかを検出するように構成された時間検出部と、
前記時間検出部の検出結果が、前記閲覧時間が前記アクセス時間より前であることを示す場合に、前記第１端末を前記ターゲット端末の１つと識別するように構成された端末識別部とを含むことを特徴とする請求項８に記載の装置。
【請求項１０】
前記端末検出部が、
前記複数の第１閲覧記録の各々が、端末識別子、プロモーション情報識別子、宛先識別子、および前記プロモーション情報に対応する閲覧時間を含む場合に、前記第１端末の端末識別子と前記宛先の宛先識別子とを含む第１閲覧記録が存在するかどうかを検出するように構成された第１検出サブユニットと、
前記複数の第１閲覧記録の各々が、端末識別子、プロモーション情報の識別子、および閲覧時間を含む場合に、前記宛先に対応するプロモーション情報ベースを取得して、前記宛先に対応する前記プロモーション情報が前記第１端末によって閲覧されているかどうかを、前記第１閲覧記録および前記プロモーション情報ベースに従って検出するように構成された第２検出サブユニットとを含むことを特徴とする請求項９に記載の装置。
【請求項１１】
前記時間検出部は、前記第１端末の閲覧時間が所定の時間範囲内であるかどうかを、前記アクセス記録に従って検出するように構成されており、前記所定の時間範囲が、前記第１端末が前記宛先にアクセスする際の前記アクセス時間より前の時間間隔であることを特徴とする請求項９に記載の装置。
【請求項１２】
前記第１取得モジュールが、モニターによって収集された前記アクセス記録を取得するように構成されており、前記アクセス記録が、前記宛先に設けられた前記モニターによって、前記端末により送信された放送信号に従って収集され、前記放送信号が、ワイファイ信号および／またはブルートゥース信号を含むことを特徴とする請求項８から１１のいずれか１項に記載の装置。
【請求項１３】
前記宛先に対応するプロモーション情報ベース内のすべてのプロモーション情報の第２閲覧記録を取得するように構成された第３取得モジュールと、
前記すべてのプロモーション情報の前記第２閲覧記録、前記複数の第１閲覧記録および前記アクセス記録に従って、前記プロモーション情報ベース内の前記すべてのプロモーション情報を分析するように構成された分析モジュールとをさらに含むことを特徴とする請求項８から１１のいずれか１項に記載の装置。
【請求項１４】
前記分析モジュールが、
前記アクセス記録および前記複数の第１閲覧記録に従って、第１プロモーション情報に対応する前記ターゲット端末の数を計算するように構成された第１計算部と、
前記すべてのプロモーション情報の前記第２閲覧記録に従って、前記第１プロモーション情報が閲覧された回数を計算するように構成された第２計算部と、
前記第１計算部によって算出された前記ターゲット端末の数と前記第２計算部によって算出された前記閲覧回数に従って、前記第１プロモーション情報の交換率を計算するように構成された第３計算部とを含むことを特徴とする請求項１３に記載の装置。
【請求項１５】
１つ以上の処理装置と、
メモリと、
１つ以上のモジュールとを含むサーバーであって、前記１つ以上のモジュールは、
前記メモリに保存され、前記１つ以上の処理装置によって実行されるように構成され、
宛先にアクセスする端末のアクセス記録を取得し、
前記宛先にアクセスする前記端末のプロモーション情報にそれぞれ対応する複数の第１閲覧記録を取得し、
前記アクセス記録および前記複数の第１閲覧記録に従ってターゲット端末を識別するように構成されており、前記ターゲット端末が、前記宛先に対応するプロモーション情報の閲覧後に前記宛先にアクセスする端末であることを特徴とするサーバー。
【請求項１６】
１つ以上の処理部と、
メモリと、
１つ以上のモジュールとを含むモニターであって、前記１つ以上のモジュールは、
前記メモリに保存され、前記１つ以上の処理装置によって実行されるように構成され、
宛先にアクセスする端末の端末識別子を取得し、
前記端末のアクセス時間を記録し、
前記端末識別子および前記端末の前記アクセス時間に従って前記宛先にアクセスする前記端末のアクセス記録を生成し、
前記アクセス記録をサーバーに送信するように構成されており、前記アクセス記録が、前記宛先にアクセスする前記端末のプロモーション情報に対応する複数の第１閲覧記録を取得し、前記アクセス記録および前記複数の第１閲覧記録に従って、ターゲット端末を識別するようにサーバーに命令するように構成されており、前記ターゲット端末が、前記宛先に対応するプロモーション情報の閲覧後に前記宛先にアクセスする端末であることを特徴とするモニター。
【請求項１７】
請求項１から７のいずれか１項に記載のウェブページを調整するための方法を、コンピュータでの実行を可能にする、コンピュータプログラム。
【請求項１８】
請求項１７に記載のコンピュータプログラムを含む、コンピュータ可読記憶媒体。
【国際調査報告】
2016524224.tif 000017
2016524224.tif 000018
2016524224.tif 000019
2016524224.tif 000020